【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
複数の遊技媒体を貯留する貯留手段と、
その貯留手段に連通され、前記遊技媒体が流入すると共にその遊技媒体の流下方向と交わる交差方向に少なくとも３以上設けられた複数の通路と、
その複数の通路にそれぞれ設けられ、その通路を前記遊技媒体が通過することを許容又は禁止する通過許容禁止手段と、
前記複数の通路をほぼ同数ずつ通過するように、前記通路毎に遊技媒体を振り分ける振分手段と、
その振分手段により振り分けられた数の遊技媒体が前記通路を通過するように、前記通過許容禁止手段を制御する制御手段とを備え、
前記振分手段は、前記通路の遊技媒体の通過を許容するよう前記通過許容禁止手段が前記制御手段によって制御されて前記遊技媒体の通過が開始された後に、前記通路に振り分けられた遊技媒体の通過が完了せずに未通過となると、その遊技媒体の通過が完了しなかった第１通路に対して前記交差方向の隣に設けられた隣接通路に、前記通過が完了しなかった未通過分の遊技媒体の全てを再度振り分けることを特徴とする遊技機。
【請求項２】
前記遊技媒体の通過が完了しなかった第１通路と、その第１通路に対して前記交差方向の隣に設けられた隣接通路とを対応させた隣接通路情報が記憶される第１記憶手段と、
前記振分手段によって前記未通過分の遊技媒体を再度振り分ける場合に、前記第１通路に対応した隣接通路を前記第１記憶手段の隣接通路情報に基づいて設定する隣接通路設定手段とを備えていることを特徴とする請求項１記載の遊技機。
【請求項３】
前記隣接通路設定手段は、前記第１通路が複数ある場合には、前記複数の第１通路に対応した隣接通路を論理和した結果の隣接通路に対して、前記遊技媒体の通過が完了しなかった未通過分の遊技媒体を振り分ける隣接通路を設定する第１設定手段を備えていることを特徴とする請求項２記載の遊技機。
【請求項４】
前記遊技媒体の通過が完了しなかった第１通路または前記第１通路以外の第２通路のうち、少なくとも一方を特定可能な通路情報を記憶する第２記憶手段を備え、
前記隣接通路設定手段は、前記第２記憶手段に記憶される通路情報と、前記第１設定手段により設定された隣接通路とを論理積した結果の隣接通路に対して、前記未通過分の遊技媒体を振り分ける隣接通路を設定する第２設定手段を備えていることを特徴とする請求項３記載の遊技機。
【手続補正２】
【補正対象書類名】明細書
【補正対象項目名】０００７
【補正方法】変更
【補正の内容】
【０００７】
この目的を達成するために請求項１記載の遊技機は、複数の遊技媒体を貯留する貯留手段と、その貯留手段に連通され、前記遊技媒体が流入すると共にその遊技媒体の流下方向と交わる交差方向に少なくとも３以上設けられた複数の通路と、その複数の通路にそれぞれ設けられ、その通路を前記遊技媒体が通過することを許容又は禁止する通過許容禁止手段と、前記複数の通路をほぼ同数ずつ通過するように、前記通路毎に遊技媒体を振り分ける振分手段と、その振分手段により振り分けられた数の遊技媒体が前記通路を通過するように、前記通過許容禁止手段を制御する制御手段とを備え、前記振分手段は、前記通路の遊技媒体の通過を許容するよう前記通過許容禁止手段が前記制御手段によって制御されて前記遊技媒体の通過が開始された後に、前記通路に振り分けられた遊技媒体の通過が完了せずに未通過となると、その遊技媒体の通過が完了しなかった第１通路に対して前記交差方向の隣に設けられた隣接通路に、前記通過が完了しなかった未通過分の遊技媒体の全てを再度振り分ける。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項１記載の遊技機によれば、貯留手段に貯留される複数の遊技媒体を投入または払い出す場合、貯留手段と連通する複数の通路を遊技媒体がほぼ同数ずつ通過するように各通路毎に遊技媒体が振分手段によって振り分けられる。各通路毎に設けられた通過許容禁止手段が制御手段によって制御され、各通路の遊技媒体の通過が許容又は禁止され、振り分けられた数の遊技媒体が振り分けられた通路を通過して、遊技媒体の投入または払い出しが行われる。また、遊技媒体の通過を許容するよう通過許容禁止手段が制御手段により制御され、その通路に振り分けられた数の遊技媒体の通過が完了せずに未通過となると、その未通過となった第１通路に対して交差方向の隣に設けられた隣接通路に未通過分の遊技媒体の全てが振分手段により再度振り分けられ、未通過分の遊技媒体の投入または払い出しが行われる。
【手続補正６】
【補正対象書類名】明細書
【補正対象項目名】００１８
【補正方法】変更
【補正の内容】
【００１８】
しかし、請求項１記載の遊技機によれば、遊技媒体の通過が完了せずに未通過分の遊技媒体があると、その通過が完了しなかった第１通路の隣に設けられた隣接通路へ遊技媒体を再度振り分けて通過させるので、再度振り分けられた遊技媒体が隣接通路内を通過する際に生じる振動や通過許容禁止手段が動作することで生じる振動が第１通路に伝わり、その振動により遊技媒体の詰まりが解消されやすくなる。また、第１通路の隣の通路において遊技媒体の投入または払い出しが行われるので、隣接通路内にある遊技媒体が減ることで、第１通路入口近傍に詰まった遊技媒体が崩れやすくなる。よって、再度遊技媒体を振り分ける場合に隣接通路へ遊技媒体を振り分けることで、遊技媒体の詰まりなどを早期に解消しやすくできるので、遊技媒体を迅速に投入または払い出し、遊技をスムーズに進行できるという効果がある。
【手続補正７】
【補正対象書類名】明細書
【補正対象項目名】００２４
【補正方法】削除
【補正の内容】
【手続補正８】
【補正対象書類名】明細書
【補正対象項目名】０３９４
【補正方法】変更
【補正の内容】
【０３９４】
ここで、本実施形態において、請求項１記載の遊技機の振分手段としては図３４のＳ１２１８の処理が該当し、請求項１記載の遊技機の制御手段としては図３４のＳ１２２４の処理が該当し、請求項２記載の遊技機の隣接通路設定手段としては図３４のＳ１２２９の処理が該当し、請求項３記載の遊技機の第１設定手段としては図３７のＳ１２８３、Ｓ１２８５、Ｓ１２８７及びＳ１２８９の処理が該当し、請求項３記載の遊技機の第１設定手段としては図３７のＳ１２９０の処理が該当し、請求項４記載の遊技機の第２設定手段としては図３７のＳ１２９１の処理が該当する。
【手続補正９】
【補正対象書類名】明細書
【補正対象項目名】０３９６
【補正方法】変更
【補正の内容】
【０３９６】
１                          遊技球使用回胴遊技機（遊技機）
１１０                      主制御装置
２１０                      払出制御装置
２１２ａ                    優先リトライ条設定テーブル記憶領域（第１記憶手段）
２１３ｇ１〜２１３ｇ４      払出リトライフラグ（第２記憶手段）
９１０                      タンク（貯留手段）
９２０                      タンクレール（貯留手段の一部、通路の一部）
９２１ａ〜９２１ｃ          仕切壁（隔壁）
９２１ａ１〜９２１ｃ１      仕切壁の端部（隔壁の流下方向上流側の端部）
９２１ａ２〜９２１ｃ２      仕切壁の傾斜面（隔壁の端部の傾斜面）
９２２ａ〜ｄ                球通路（通路の一部）
９３１ａ〜ｄ                球通路（通路の一部）
９４３ａ                    第１球通路（通路の一部）
９４３ｂ                    第２球通路（通路の一部）
９４４ａ１，９４４ｂ１      フリッカー（通過許容禁止手段）